(57)【特許請求の範囲】
【請求項１】
少なくともユーザー端末、担当者端末および管理者端末とネットワーク接続された保健情報統合管理システムで実行され、前記ユーザー端末を介して入力または要請された診療、保健事業および保健行政のうち少なくとも一つの業務に関する情報を統合管理する方法であって、
（ａ）コード管理部の実行によって、診療基礎コード、事業基礎コードおよび共通コードのうち少なくとも一つに対するコードをコードテーブルに登録する段階であって、前記コード登録は管理者端末の自体入力によって行われるか、或いは前記担当者端末によって登録申請されたコードに対して前記管理者端末の承認入力を受けて行われ、前記各コードは少なくとも一つのコードグループに属するように登録される、段階と、
（ｂ）業務情報処理部の実行によって、前記ユーザー端末から前記コードに基づいて、診療、保健事業および保健行政のうちいずれか一つの業務に関する情報を入力、処理および保存する段階であって、前記コードは、全体保健機関のユーザー端末がいずれも使用できるように定義された全域コード、および各保健機関別のユーザー端末が使用できるように定義された機関別コードのいずれか一つである、段階と
を含んでなる、保健情報統合管理方法。
【請求項２】
前記診療基礎コードは、
一つの給与処理単位に相応する項目を定義するシングルコード、２つ以上の前記シングルコードが組み合わせられて定義されるグループ、および２つ以上の前記グループまたはシングルコードが組み合わせられて定義されるプロファイルからなる階層構造を有し、
少なくとも前記保健事業業務に関する情報の入力、処理および保存の際に前記プロファイルを使用するように構成されたことを特徴とする、請求項１に記載の保健情報統合管理方法。
【請求項３】
前記シングルコードは、
保険コードに相応する保険給与対象項目を定義する第１シングルコードと、
保険コードに基づいていない項目であって前記管理者端末の承認入力を経てシングルコード対象として追加された項目を定義する第２シングルコードとを含むことを特徴とする、請求項２に記載の保健情報統合管理方法。
【請求項４】
前記（ａ）段階における登録申請によるコード登録は、
（ａ１）担当者端末からコード登録要請の伝送を受ける段階と、
（ａ２）前記登録要請を管理者端末で確認できるように維持する段階と、
（ａ３）前記管理者端末から前記登録要請されたコードの既登録有無照会命令の入力を受け、コードテーブルに基づいてその結果を提供する段階と、
（ａ４）管理者端末から新規コード登録情報の承認入力を受けて該当コードをコードテーブルに登録し、前記ユーザー端末で前記新規コードを使用可能な状態に維持する段階であって、前記管理者端末は、前記登録要請されたコードが未登録コードであると判断した管理者の端末である、段階と
を含んでなることを特徴とする、請求項１に記載の保健情報統合管理方法。
【請求項５】
前記（ａ１）段階の後、
（ａａ１）前記登録要請されたコードの既登録有無が照会できるように前記担当者端末へコードテーブルのコード登録情報を提供する段階と、
（ａａ２）前記担当者端末から既存登録コードの使用または新規コード登録に関する要請情報の入力を受ける段階と、
（ａａ３）前記要請が既存登録コードの使用要請である場合には、使用要請されたコードを前記担当者端末が所属された保健機関の機関別コードとして使用登録する段階と
を含んでなることを特徴とする、請求項４に記載の保健情報統合管理方法。
【請求項６】
前記診療基礎コードは、
前記管理者端末が管理権限を持つ全域属性部、および
各保健機関別担当者端末が管理権限を持つ機関別属性部のうち少なくとも一つを含んでなることを特徴とする、請求項１に記載の保健情報統合管理方法。
【請求項７】
コード管理部の実行によって、前記（ａ）段階の前にコードグループ登録が行われ、
前記コードグループ登録は、
（ｐａ１）管理者端末へ、既に登録されたコードグループツリーを提示する段階であって、前記コードグループツリーは少なくとも２階層のコードグループに階層化されて構成される、段階と、
（ｐａ２）管理者端末から、前記提示されたコードグループツリーのうち新規コードグループが登録される上位コードグループが選択される段階と、
（ｐａ３）管理者端末から新規コードグループの登録に必要な項目入力および確認が行われると、コードグループ登録を完了する段階と
をさらに含んでなることを特徴とする、請求項１に記載の保健情報統合管理方法。
【請求項８】
前記（ａ）段階は個別コード登録によって行われ、
前記個別コード登録は、
（ａｉ１）管理者端末へ、既に登録されたコードグループツリーを提示する段階であって、前記コードグループツリーは少なくとも２階層のコードグループに階層化されて構成される、段階と、
（ａｉ２）管理者端末から前記提示されたコードグループツリーのうち所定の最下位階層のコードグループが選択されると、該当コードグループにコード登録のために定義が必要な属性を基本情報として提示する段階と、
（ａｉ３）管理者端末からコード登録に必要な項目入力および確認が行われると、コード登録を完了する段階と
をさらに含んでなることを特徴とする、請求項１に記載の保健情報統合管理方法。
【請求項９】
前記（ａ）段階は、一括登録によって行われるが、前記一括登録は、
（ａｔ１）管理者端末へ既に登録されたコードグループツリーを提示する段階であって、前記コードグループツリーは少なくとも２階層のコードグループに階層化されて構成される、段階と、
（ａｔ２）管理者端末から、前記提示されたコードグループツリーのうち一括登録を所望するコードグループが選択されると、該当コードグループの一括登録フォーマットを有するテンプレートファイルをダウンロード可能な状態に維持する段階と、
（ａｔ３）管理者端末から一括登録に必要な項目入力が行われたテンプレートファイルがアップロードされると、コード登録を完了する段階と
をさらに含んでなることを特徴とする、請求項１に記載の保健情報統合管理方法。
【請求項１０】
コード管理部の実行によって、コードグループ別にコードの登録、修正および削除を管理者端末に要請することが可能な担当者権限登録が行われるようにさらに構成され、
（ｐｂ１）管理者端末へ、既に登録されたコードグループツリーを提示する段階であって、前記コードグループツリーは少なくとも２階層のコードグループに階層化されて構成される、段階と、
（ｐｂ２）管理者端末から、前記提示されたコードグループツリーのうち担当者権限登録が必要なコードグループが選択され、該当コードグループに対する組織ツリーを提示する段階であって、前記組織ツリーは前記コードグループの担当者またはユーザーが含まれた組織を階層化して構成する、段階と、
（ｐｂ３）管理者端末から、前記組織ツリーに含まれた特定の担当者またはユーザーに対する担当者権限登録情報の入力および確認が行われると、該当コードグループに対する担当者権限登録を完了する段階であって、前記担当者権限登録情報は新規担当者の登録または既存担当者の削除である、段階と
をさらに含んでなることを特徴とする、請求項１に記載の保健情報統合管理方法。
【請求項１１】
コード管理部の実行によって、コードグループ別にコードの登録、修正および削除を行うことが可能な管理者権限登録が行われるようにさらに構成され、
（ｐｃ１）マスター管理者端末へ管理者権限登録メニューを提示する段階と、
（ｐｃ２）マスター管理者端末から特定の管理者に対する管理者権限登録の入力を受けて管理者権限登録を完了する段階であって、前記管理者権限登録情報は新規管理者の登録または既存管理者の削除のうち少なくとも一つである、段階と
をさらに含んでなることを特徴とする、請求項１に記載の保健情報統合管理方法。
【請求項１２】
コード管理部の実行によって、前記（ａ）段階の前にコード属性登録が行われ、
前記コード属性登録は、
（ｐｄ１）管理者端末へコード属性登録メニューを提示する段階と、
（ｐｄ２）管理者端末から、登録される属性の属性名称、属性類型および属性グループの少なくとも一つの入力を受け、コード属性登録を完了する段階と
をさらに含んでなることを特徴とする、請求項１に記載の保健情報統合管理方法。
【請求項１３】
前記（ｂ）段階の後、分析資料生成部の実行によって、
（ｃ）診療、保健事業および保健行政のうちいずれか一つの業務に関する定型または非定型帳票からなる実績資料または統計資料を生成する段階をさらに含んでなることを特徴とする、請求項１に記載の保健情報統合管理方法。
【請求項１４】
前記（ｃ）段階は、
（ｃａ１）周期的な締め切りが到来すると、各ユーザー端末から入力された実績または統計関連運営系資料をＯＤＳ（ＯｐｅｒａｔｉｏｎａｌＤａｔａ Ｓｔｏｒｅ）に積載する段階と、
（ｃａ２）前記ＯＤＳの資料を抽出、加工および積載してＥＤＷ（ＥｎｔｅｒｐｒｉｓｅＤａｔａ Ｗａｒｅｈｏｕｓｅ）資料を構築する段階と、
（ｃａ３）前記ＥＤＷ資料を用いて、既に設定された主題別データマート（Ｍａｒｔ）を生成する段階と、
（ｃａ４）前記主題別データマートに基づいて定型帳票からなる実績または統計資料を自動生成する段階と
をさらに含むことを特徴とする、請求項１３に記載の保健情報統合管理方法。
【請求項１５】
前記（ｃ）段階は、
（ｃｂ１）周期的な締め切りが到来すると、各ユーザー端末から入力された実績または統計関連運営系資料をＯＤＳ（ＯｐｅｒａｔｉｏｎａｌＤａｔａ Ｓｔｏｒｅ）に積載する段階と、
（ｃｂ２）前記ＯＤＳの資料を抽出、加工および積載してＥＤＷ（ＥｎｔｅｒｐｒｉｓｅＤａｔａ Ｗａｒｅｈｏｕｓｅ）資料を構築する段階と、
（ｃｂ３）前記ＥＤＷ資料を用いて、既に設定された主題別データマート（Ｍａｒｔ）を生成する段階と、
（ｃｂ４）分析者が分析観点および分析指標を選択して非定型帳票を生成することができるように分析者端末に照会手段を維持する段階と、
（ｃｂ５）分析者端末から入力された分析観点および分析指標に基づいて帳票を生成して提供する段階と
を含んでなることを特徴とする、請求項１３に記載の保健情報統合管理方法。
【請求項１６】
（ｃｂ６）前記分析者端末へ、前記生成した非定型帳票を共有する別の分析者の照会が可能なメニューを提供する段階と、
（ｃｂ７）前記分析者端末から入力された情報に基づいて、共有指定された別の分析者端末で前記非定型帳票が照会できるように維持する段階と
をさらに含むことを特徴とする、請求項１５に記載の保健情報統合管理方法。
【請求項１７】
（ｃｂ８）所定の回数または頻度以上に使用された分析観点および分析指標をグルーピングし、分析者端末で照会可能な状態を維持する段階と、
（ｃｂ９）前記グルーピングされた項目のうちいずれか一つの項目を分析者端末が選択しうる機能を提供する段階と
をさらに含むことを特徴とする、請求項１５に記載の保健情報統合管理方法。
【請求項１８】
請求項１〜１７のいずれか１項による保健情報統合管理方法をコンピュータで実行するためのコンピュータプログラムが記録されたコンピュータ可読記録媒体。
【請求項１９】
少なくともユーザー端末、担当者端末および管理者端末とネットワーク接続され、前記ユーザー端末を介して入力または要請された診療、保健事業および保健行政の少なくとも一つの業務に関する情報を統合管理するシステムであって、
前記ユーザー端末を介して入力または要請された診療、保健事業および保健行政のいずれか一つに対する業務情報を処理する業務情報処理部と、
前記業務情報を用いて、業務に関する定型または非定型帳票からなる実績資料または統計資料を生成する分析資料生成部と、
前記業務情報処理部の業務処理機能または分析資料生成部の生成資料を利用しようとする一般利用者端末と連動して、入力または要請された情報を処理または提供するポータル部と、
前記業務情報処理部、前記分析資料生成部および前記ポータル部で処理される情報の互換性確保のためのコードの登録、修正および削除に関する処理と、担当者および管理者に対する権限設定登録処理を行うコード管理部とを含んでおり、
前記コード管理部は、
診療基礎コード、事業基礎コードおよび共通コードのうち少なくとも一つに対するコードをコードテーブルに登録する機能であって、前記コード登録は、管理者端末の自体入力によって行われるか、或いは前記担当者端末によって登録申請されたコードに対して前記管理者端末の承認入力を受けて行われ、前記各コードは少なくとも一つのコードグループに属するように登録される、機能を少なくとも実行することを特徴とする、保健情報統合管理システム。
【請求項２０】
前記診療基礎コードは、
一つの給与処理単位に相応する項目を定義するシングルコード、２以上の前記シングルコードが組み合わせられて定義されるグループ、および２以上の前記グループまたはシングルコードが組み合わせられて定義されるプロファイルからなる階層構造を有し、
少なくとも前記保健事業の業務に関する情報の入力、処理および保存の際に前記プロファイルを使用するように構成されたことを特徴とする、請求項１９に記載の保健情報統合管理システム。
【請求項２１】
前記シングルコードは、
保険コードに相応する保険給与対象項目を定義する第１シングルコードと、
保険コードに基づいていない項目であって前記管理者端末の承認入力を経てシングルコード対象として追加された項目を定義する第２シングルコードと
を含むことを特徴とする、請求項２０に記載の保健情報統合管理システム。
【請求項２２】
前記コード管理部は、登録申請によるコード登録の場合、
担当者端末からコード登録要請の伝送を受ける機能と、
前記登録要請を管理者端末で確認できるように維持する機能と、
前記管理者端末から前記登録要請されたコードの既登録有無照会命令の入力を受け、コードテーブルに基づいてその結果を提供する機能と、
管理者端末から新規コード登録情報の承認入力を受けて該当コードをコードテーブルに登録し、前記ユーザー端末で前記新規コードを使用可能な状態に維持する機能であって、前記管理者端末は、前記登録要請されたコードが未登録コードであると判断した管理者の端末である、機能と
をさらに備えたことを特徴とする、請求項１９に記載の保健情報統合管理システム。
【請求項２３】
前記コード管理部は、
前記登録要請されたコードの既登録有無が照会できるように前記担当者端末へコードテーブルのコード登録情報を提供する機能と、
前記担当者端末から既存登録コードの使用または新規コード登録に関する要請情報の入力を受ける機能と、
前記要請が既存登録コードの使用要請である場合には、使用要請されたコードを前記担当者端末が所属された保健機関の機関別コードとして使用登録する機能と
をさらに備えたことを特徴とする、請求項２２に記載の保健情報統合管理システム。
【請求項２４】
前記診療基礎コードは、
前記管理者端末が管理権限を有する全域属性部、および各保健機関別担当者端末が管理権限を持つ機関別属性部のうち少なくとも一つを含んでなることを特徴とする、請求項１９に記載の保健情報統合管理システム。
【発明の詳細な説明】
【技術分野】
【０００１】
本発明は、保健情報統合管理方法および統合管理システム、並びにその記録媒体に関し、さらに詳しくは、機能別／地域別に設立された各種保健機関における保健事業や行政業務、診療業務、診療支援業務などを行う過程で生成する様々な保健情報を統合管理するが、各保健機関別に別途生成／管理していた基礎コードを標準化して統合的業務処理および自動化統計分析を可能とし、ユーザー中心の非定型分析を可能とすることにより、各保健機関、地方公共団体（以下、「自治体」という）または管理機関のユーザーが効率的な業務処理およびそれぞれの使用目的に合う実績および統計資料を効率よく生成して活用することができるようにする、保健情報統合管理方法および統合管理システム、並びにその記録媒体に関する。
【背景技術】
【０００２】
全国の各地域別に保健所、保健地所、保健医療院などの各級別保健機関が設置され、保健事業だけでなく、行政業務、診療業務、診療支援業務などの多様な業務を行っている。
【０００３】
このような多様な業務に関する情報管理のために、従来は各級保健機関で個別情報システムを構築して運営してきたが、このような個別情報システムの場合、各機関別業務処理のための記録中心の情報システムという限界を持っていた。
【０００４】
例えば、保健機関業務情報化機能に限界があるので、業務の重複および手作業が頻繁に発生して業務担当者の負担が加重され、保健事業の実績の集計および報告に一ヶ月以上がかかるなど、地域特性を反映した保健事業の計画の樹立および実行が難しかった。
【０００５】
特に、保健機関業務の実績統計自動集計システムが存在しないため、手作業で実績の集計および報告を行い、政策決定のためのデータの収集および活用が非常に難しかった。その上、ユーザーが所望する統計を算出するために、二重的な手作業が必要であった。
【０００６】
さらに、各保健機関別情報システムの重複開発や情報連携不足、非効率的管理運営による業務の非効率性招来、情報システムの非標準化および互換性の不足、システムメンテナンス費用の過多、個人診療情報などの情報セキュリティ脆弱性などにより、統合的かつ体系的な情報システム運営管理の必要性が提起された。
【０００７】
特に、従来では、関係各機関とのデータ連携において、保健機関別に情報システムが別途構築されて運営されるので、様々なデータ形式、それぞれ異なるソリューションを適用して保健機関サーバーに従属的であるという限界を持っていた。
【０００８】
また、保健機関の検査、行為コードなど、診療および保健事業に使われる各種コード等が保健機関別に管理されるので、機関間の情報交流および統計算出が不可能であるという問題点があった。さらに、保健機関の来院者が他の保健機関に訪問したとき、過去の診療内訳を確認することが難しいという問題点もあった。
【発明の概要】
【発明が解決しようとする課題】
【０００９】
本発明は、かかる従来の問題点を解消するためになされたもので、その目的は、機能別／地域別に設立された各種保健機関における保健事業や行政業務、診療業務、診療支援業務などを行う過程で生成する多様な保健情報を統合管理するが、各保健機関別に別途生成／管理していた基礎コードを標準化して統合的業務処理および自動化統計分析を可能とし、ユーザー中心の非定型分析を可能とすることにより、各保健機関、自治体または管理機関のユーザーが効率的な業務処理およびそれぞれの使用目的に合う実績および統計資料を効率よく生成して活用することができるようにする、保健情報統合管理方法を提供することにある。
【００１０】
また、本発明の他の目的は、このような保健情報統合管理方法を実行するための保健情報統合管理システム、およびこれをコンピュータで実現するように記録した、コンピュータ可読記録媒体を提供することにある。
【課題を解決するための手段】
【００１１】
上記目的を達成するために、本発明のある観点によれば、少なくともユーザー端末、担当者端末および管理者端末とネットワーク接続された保健情報統合管理システムで実行され、前記ユーザー端末を介して入力または要請された診療、保健事業および保健行政のうち少なくとも一つの業務に関する情報を統合管理する方法であって、（ａ）コード管理部の実行によって、診療基礎コード、事業基礎コードおよび共通コードのうち少なくとも一つに対するコードをコードテーブルに登録する段階（前記コード登録は管理者端末の自体入力によって行われるか、或いは前記担当者端末によって登録申請されたコードに対して前記管理者端末の承認入力を受けて行われ、前記各コードは少なくとも一つのコードグループに属するように登録される）と、（ｂ）業務情報処理部の実行によって、前記ユーザー端末から前記コードに基づいて、診療、保健事業および保健行政のうちいずれか一つの業務に関する情報を入力、処理および保存する段階（前記コードは、全体保健機関のユーザー端末がいずれも使用できるように定義された全域コード、および各保健機関別のユーザー端末が使用できるように定義された機関別コードのうちのいずれか一つである）とを含んでなる、保健情報統合管理方法が開示される。
【００１２】
本発明の他の観点によれば、前記保健情報統合管理方法の各段階を実行させるためのプログラムを記録したコンピュータ可読記録媒体が開示される。
【００１３】
本発明の別の観点によれば、少なくともユーザー端末、担当者端末および管理者端末とネットワーク接続され、前記ユーザー端末を介して入力または要請された診療、保健事業および保健行政のうち少なくとも一つの業務に関する情報を統合管理するシステムであって、前記ユーザー端末を介して入力または要請された診療、保健事業および保健行政のうちいずれか一つに対する業務情報を処理する業務情報処理部と、前記業務情報を用いて、業務に関する定型または非定型帳票からなる実績資料または統計資料を生成する分析資料生成部と、前記業務情報処理部の業務処理機能または分析資料生成部の生成資料を利用しようとする一般利用者端末と連動して、入力または要請された情報を処理または提供するポータル部と、前記業務情報処理部、分析資料生成部およびポータル部で処理される情報の互換性確保のためのコードの登録、修正および削除に関する処理と、担当者および管理者に対する権限設定登録処理とを行うコード管理部とを含んでなることを特徴とする、保健情報統合管理システムが開示される。
【発明の効果】
【００１４】
上述したような本発明は、機能別／地域別に設立された各保健機関（保健所、保健地所、保健医療院など）で別途運営していた情報システムを統合することにより、診療業務および診療記録の作成に対する情報化を介してユーザーの便宜性および業務の効率化を極大化し、業務間の円滑な連携性を確保するとともに、保健事業／行政業務間の連携考慮によって各保健機関の行政業務および保健事業の情報管理の効率化を提供する。
【００１５】
特に、本発明は、各保健機関別に別途生成／管理していた基礎コードを標準化して自動化統計分析を可能とし、これにより保健政策資料の生成および活用の効率性を高めるという利点がある。
【００１６】
また、本発明は、ユーザー中心の非定型分析を可能とすることにより、各保健機関、自治体または管理機関のユーザーがそれぞれの使用目的に合う実績および統計資料を効率よく生成して活用することができるようにするという利点がある。
【図面の簡単な説明】
【００１７】
【図１】本発明の一実施形態に係る保健情報統合管理システムの全体構成図である。
【図２】本発明の一実施形態に係る保健情報統合管理システムの詳細構成図である。
【図３】本発明の一実施形態に係る保健情報統合管理方法の全体フローチャートである。
【図４】本発明の一実施形態に係る保健情報統合管理方法の担当者端末の登録申請によるコード登録手続きのフローチャートである。
【図５】本発明の一実施形態に係る保健情報統合管理方法のコードグループ登録のフローチャートである。
【図６】本発明の一実施形態に係る保健情報統合管理方法の個別または一括コード登録のフローチャートである。
【図７】本発明の一実施形態に係る保健情報統合管理方法の担当者権限登録のフローチャートである。
【図８】本発明の一実施形態に係る保健情報統合管理方法の管理者権限登録のフローチャートである。
【図９】本発明の一実施形態に係る保健情報統合管理方法のコード属性登録のフローチャートである。
【図１０】本発明の一実施形態に係る保健情報統合管理方法の定型または非定型帳票生成のフローチャートである。
【図１１】本発明の一実施形態に係る保健情報統合管理方法の非定型帳票共有手続きのフローチャートである。
【図１２】本発明の一実施形態に係る保健情報登録管理方法の分析観点と分析指標のグルーピング手続きのフローチャートである。
【発明を実施するための形態】
【００１８】
本発明は、その技術的思想または主な特徴から逸脱することなく他のいろいろな形態に実施することができる。このため、本発明の実施形態は、あらゆる点において単なる例示に過ぎず、限定的に解釈してはならない。
【００１９】
「第１」、「第２」などの用語は、多様な構成要素を説明するために使用することができるが、前記構成要素は前記用語により限定されものではない。前記用語は、一つの構成要素を他の構成要素から区別するための目的のみで使用される。例えば、本発明の権利範囲から外れない範疇内において、第１の構成要素は第２の構成要素と命名することができ、同様に、第２の構成要素も第１の構成要素と命名することができる。「及び／又は」という用語は、複数の関連した記載項目の組み合わせ、又は複数の関連した記載項目のいずれかを含む。
【００２０】
ある構成要素が他の構成要素に「連結」または「接続」されていると言及されたときは、他の構成要素に直接連結又は接続されている可能性もあるが、それらの構成要素の間に別の構成要素が介在することもあると理解すべきである。これに対して、ある構成要素が他の構成要素に「直接連結」されているか、「直接接続」されていると言及されたときは、それらの構成要素の間に別の構成要素が存在しないと理解すべきである。
【００２１】
本出願において使用した用語は、単に特定の実施形態を説明するために使用されたものであり、本発明を限定するものではない。単数の表現は、文脈上明らかに異なる意味を表さない限り、複数の表現を含む。本出願において、「含む」、「備える」又は「有する」などの用語は、明細書に記載された特徴、数字、段階、動作、構成要素、部品又はそれらの組み合わせが存在することを示すものであり、１つ又はそれ以上の他の特徴、数字、段階、動作、構成要素、部品又はそれらの組み合わせの存在又は付加の可能性を予め排除するものではないと理解すべきである。
【００２２】
別途定義されない限り、技術的又は科学的な用語を含めてここで使用される全ての用語は、本発明の属する技術分野における通常の知識を有する者に一般的に理解されるものと同様の意味を有する。一般に使用される辞書に定義されている用語は、関連技術の文脈上持つ意味と同じ意味を持つと解釈されるべきであり、本出願において明らかに定義しない限り、理想的または過度に形式的な意味には解釈されない。
【００２３】
以下、添付図面を参照して、本発明に係る好適な実施形態を詳細に説明するが、図面符号を問わず、同一または対応の構成要素は同一の参照番号を付し、これについての重複説明は省略する。本発明を説明するにあたって、関連した公知技術についての具体的な説明が本発明の要旨を不明確にするおそれがあると判断される場合は、その詳細な説明を省略する。
【００２４】
本発明の保健情報統合管理システムは、既存の各保健機関（保健所、保健地所、保健医療院など）で別途運営していた保健診療／診療支援システムを統合することにより、診療業務および診療記録の作成に対する情報化を介してユーザーの便宜性および業務の効率化を極大化し業務間の円滑な連携性を確保するとともに、保健事業／行政業務間の連携考慮を介して各保健機関の行政業務および保健事業の情報管理の効率化を図るためのものである。
【００２５】
表１は本実施形態の保健情報統合管理システムで統合管理する業務構成の例示項目であって、診療、保健事業および保健行政の業務構成を概略的に例示している。
【表１】
0005796236.tif 000002
【００２６】
また、表２（民願業務）および表３（一般保健行政業務）は、本実施形態の保健情報統合管理システムで統合管理する行政業務の構成を例示的に示す。
【表２】
0005796236.tif 000003
【表３】
0005796236.tif 000004
【００２７】
表４（診療業務）および表５（診療支援）は、本実施形態の保健情報統合管理システムで統合管理する診療業務の構成を例示的に示す。
【表４】
0005796236.tif 000005
【表５】
0005796236.tif 000006
【００２８】
表６（健康増進事業）および表７（母子保健事業）は、本実施形態の保健情報統合管理システムで統合管理する保健事業業務の構成を例示的に示す。例えば、前記保健事業として、健康増進事業、口腔保健事業、国家癌管理事業、老人保健事業、慢性疾患管理事業、母子保健事業、訪問保健事業、障害者リハビリテーション事業、伝染病管理事業、精神保健事業、漢方健康検診事業などがあり、行政業務として、一般保健行政業務、民願業務などがある。
【表６】
0005796236.tif 000007
【表７】
0005796236.tif 000008
【００２９】
図１は本発明の一実施形態に係る保健情報統合管理システムの全体構成図である。
【００３０】
本実施形態の保健情報統合管理システムは、ユーザー端末２００、担当者端末３００および管理者端末４００とネットワーク１０を介して接続される。
【００３１】
「ユーザー端末２００」は、例えば、全国の各地域別に設置された保健所、保健地所、保健医療院などの各級別保健機関に勤めるユーザーの端末であって、診療、保健事業または保健事業など、いわゆる運営系業務情報の入力、照会および保存などのために使用される端末である。「ユーザー」は、例えば、保健所の行政職員、保健医療院の院務課職員、看護師、医師などである。
【００３２】
「担当者端末３００」は、例えば、全国の各地域別に設置された保健所、保健地所、保健医療院などの各級別保健機関に勤める電算担当者の端末として理解できる。担当者は、該当保健機関の業務に関連したコードの登録、修正、削除などに対して、保健情報統合管理システムに要請しうる権限が与えられる。
【００３３】
図１に示すように、各保健機関には、一つの担当者端末３００と多数のユーザー端末２００が備えられてもよいが、必ずしも担当者端末が一つのみ備えられなければならないのではない。
【００３４】
「管理者端末４００」は、例えば、保健情報統合管理システムの管理者の端末であって、特に、本実施形態と関連してコードの登録、修正および削除に関する処理権限を持つ管理者の端末として理解できる。
【００３５】
「ネットワーク１０」は、インターネットまたはイントラネットなどの通常の通信ネットワークを意味し、有無線のネットワークを全て包括するものと理解できる。
【００３６】
図１に示した「マスター管理者端末５００」は、管理者端末のうち、特に管理者権限登録を行うことが可能なマスター管理者の端末であって、その他にコード登録、コードグループ登録、組織ツリー登録など、一般管理者が行うことが可能な業務を含んで保健情報統合管理システムのコード設定および使用、権限設定などに関する包括的な業務権限を持つマスター管理者の端末として理解できる。
【００３７】
図１に示した「分析者端末６００」は、定型または非定型帳票からなる実績資料または統計資料を分析および使用する分析者の端末であって、例えば、保健政策業務に従事する保健関連機関または部署に努める分析担当者の端末として理解できる。
【００３８】
図１に示した「一般利用者端末７００」は、保健情報統合管理システム１００を介して各級保健機関から提供する診療および事業サービスを利用する一般利用者の端末として理解できる。一般利用者は、例えば、保健情報統合管理システム１００に接続して所望のサービスに関する予約、照会、利用内訳確認などのサービスを利用することができる。表８は、本実施形態の保健情報統合管理システムで統合管理する対国民ポータル業務の構成を例示的に示し、前記一般利用者端末を介して行われる対国民ポータル業務を例示する。
【表８】
0005796236.tif 000009
【００３９】
一方、前記「端末」は、通常のサーバー−クライアント環境でクライアントの役目をする論理的概念の端末を意味するものであり、必ずしも物理的観点の端末が別途備えられることを意味するのではない。
【００４０】
図１に示した「連携システム１０００」は、保健情報の統合管理のために連携が必要な各種関連機関のシステムを意味する。このような関連機関としては、例えば、疾病管理本部、国立癌センター、国民健康保険公団、健康保険審査評価院、大韓結核協会、市郡区の役所などがある。
【００４１】
本実施形態の保健情報統合管理システム１００は、前述の構成によって各端末または連携システムとネットワーク接続され、前記ユーザー端末２００を介して入力または要請された診療、保健事業および保健行政の少なくとも一つの業務に関する情報を統合管理する。表９は、本実施形態の保健情報統合管理システムで統合管理する連携業務の構成を例示的に示し、前記各連携システムとの連携が必要な詳細業務内容を例示する。
【表９】
0005796236.tif 000010
【００４２】
図２は本発明の一実施形態に係る保健情報統合管理システムの詳細構成図である。
【００４３】
本実施形態の保健情報統合管理システム１００は、前記ユーザー端末２００を介して入力または要請された診療、保健事業および保健行政のうちいずれか一つに対する業務情報を処理する業務情報処理部１０２を備える。業務情報処理部１０２は、詳細機能上、診療業務処理部１０２ａ、保健事業業務処理部１０２ｂおよび保健行政業務処理部１０２ｃをさらに備える。
【００４４】
本実施形態の保健情報統合管理システム１００は、さらに、前記業務情報を用いて、業務に関する定型または非定型帳票からなる実績資料または統計資料を生成する分析資料生成部１０４を備える。分析資料生成部１０２は、詳細機能上、ＯＤＳ処理部１０４ａ、ＥＤＷ処理部１０４ｂ、マート処理部１０４ｃをさらに備える。これらの各処理部による詳細処理過程は後述する。
【００４５】
表１０および表１１は、本実施形態の保健情報統合管理システムで定型帳票として生成する実績報告および統計報告の構成をそれぞれ例示的に示し、前記定型帳票として生成する資料の構成を例示する。
【表１０】
0005796236.tif 000011
【表１１】
0005796236.tif 000012
【００４６】
表１２は本実施形態の保健情報統合管理システムで非定型帳票として生成可能な実績報告または統計報告の構成をそれぞれ例示的に示し、前記非定型帳票として生成する資料の構成を例示する。
【表１２】
0005796236.tif 000013
【００４７】
本実施形態の保健情報統合管理システム１００は、さらに、前記業務情報処理部１０２の業務処理機能または分析資料生成部１０４の生成資料を利用しようとする一般利用者端末７００と連動して、入力または要請された情報を処理または提供するポータル管理部１０６を備える。
【００４８】
本実施形態の保健情報統合管理システム１００は、さらに、前記業務情報処理部１０２、分析資料生成部１０４およびポータル管理部１０６で処理される情報の互換性確保のためのコードの登録、修正および削除に関する処理と、担当者および管理者に対する権限設定登録処理を行うコード管理部１０８を備える。
【００４９】
前記コード管理部１０８は、診療基礎コード、事業基礎コードおよび共通コードのうち少なくとも一つに対するコードをコードテーブル３１０に登録する機能を少なくとも実行する。
【００５０】
診療基礎コードは、診療に必要な基礎コードであって、その詳細内容を後述する。
事業基礎コードは、例えば、予防接種コード、慢性疾患コードなどの保健事業別基礎コードを意味する。共通コードは、診療、保健事業または保健行政業務の運営系業務情報処理に必要な基盤コードを意味し、例えば、機関コード、性別コードなどが挙げられる。
【００５１】
前記診療基礎コードは、一つの給与処理単位に相応する項目を定義するシングルコード、２以上の前記シングルコードが組み合わせられて定義されるグループ、および２以上の前記グループまたはシングルコードが組み合わせられて定義されるプロファイルからなる階層構造を持つ。また、少なくとも前記保健事業業務に関する情報の入力、処理および保存の際に前記プロファイルが使用できる。
【００５２】
「シングルコード」は、例えば、保健福祉部の告示によって保険給与対象として指定された保険コード（ＥＤＩコード）を意味し、薬注射コード（西洋薬、注射剤、漢方薬）、検査コード（臨床病理検査、放射線検査）、処置コード（医科処置、歯科処置、漢方処置、理学療法）、その他の診療報酬コード（諸証明手数料、訪問当たりの診療報酬）などがある。
【００５３】
「グループ」は、ユーザーの便宜のためにシングルコードが組み合わせられて定義されるものであり、例えば、臨床病理検査グループ、放射線検査グループなどがある。
【００５４】
「プロファイル」は、前記グループ（検査グループ）またはシングルコードの各項目の組み合わせからなり、特に、保健事業分野における事業業務とのマッチングに適した特性を持っているので、保健事業分野の業務情報処理に用いられる。プロファイルは、例えば、Ｎ個のグループとＭ個のシングルコード項目からなり、ユーザーの便宜のために提供される。例示された表１３からより詳しく理解できる。
【表１３】
0005796236.tif 000014
【００５５】
また、前記シングルコードは、保険コードに相応する保険給与対象項目を定義する第１シングルコードと、保険コードに基づいていない項目であって前記管理者端末４００の承認入力を経てシングルコードの対象として追加された項目を定義する第２シングルコードとを含んで定義できる。
【００５６】
表１４〜表１８は本発明の一実施形態に係る保健情報統合管理システムのコード構成（検査コード、処置コード、医薬品コード、共通コード、機関別コードの順）の一例を示す。表１４〜表１７は前記第１シングルコードの例を示し、表１８は前記第２シングルコードの例を示す。
【表１４】
0005796236.tif 000015
【表１５】
0005796236.tif 000016
【表１６】
0005796236.tif 000017
【表１７】
0005796236.tif 000018
【表１８】
0005796236.tif 000019
【００５７】
第１および第２シングルコードの生成規則の一例が下記表１９から理解できる。
【表１９】
0005796236.tif 000020
【００５８】
別の観点から、前記診療基礎コードは、前記管理者端末４００が管理権限を持つ全域属性部と、各保健機関別担当者端末３００が管理権限を持つ機関別属性部とを含んでなる。
【００５９】
表２０および表２１は、本発明の一実施形態に係る保健情報統合管理システムの診療基礎コード構成（診療報酬マスターテーブル、検査属性テーブルの順）の一例を示す。
【表２０】
0005796236.tif 000021
【表２１】
0005796236.tif 000022
【００６０】
表２０および表２１の最右カラムの属性（金額、受託検査区分）は、運営系業務遂行の際に各保健機関別特性によってそれぞれ定義されることがさらに効率的である。例えば、一部の保健機関の場合、該当自治体の補助を受けて同一の医薬品にも拘らず患者に請求する金額が異なることがあり、地域環境を考慮して処方する医薬品の処方量単位が異なることもある。このようなことを考慮して、基本的には全域属性部としてコード属性管理を行うが、金額や院内外区分などの一部の属性は機関別属性部として管理することが好ましい。
【００６１】
前述したようなコード登録は、管理者端末４００の自体入力によって行われるか、或いは前記担当者端末３００によって登録申請されたコードに対して前記管理者端末４００の承認入力を受けて行われる。前記各コードは少なくとも一つのコードグループに属するように登録される。
【００６２】
一方、前記コード管理部１０８は、担当者端末３００の登録申請によるコード登録の場合、担当者端末３００からコード登録要請の伝送を受ける機能と、前記登録要請を管理者端末４００で確認できるように維持する機能と、前記管理者端末４００から前記登録要請されたコードの既登録有無照会命令の入力を受け、コードテーブル３１０に基づいてその結果を提供する機能と、管理者端末４００から新規コード登録情報の承認入力を受けて該当コードをコードテーブル３１０に登録し、前記ユーザー端末２００で前記新規コードを使用可能な状態に維持する機能とを備える。この際、前記管理者端末４００は、前記登録要請されたコードが未登録コードであると判断した管理者の端末となる。
【００６３】
好ましくは、前記コード管理部１０８は、前記機能と共に、前記登録要請されたコードの既登録有無が照会できるように前記担当者端末３００へコードテーブル３１０のコード登録情報を提供する機能と、前記担当者端末３００から既存登録コードの 使用または新規コード登録に関する要請情報の入力を受ける機能と、前記要請が既存登録コードの使用要請である場合、使用要請されたコードを前記担当者端末３００が所属された保健機関の機関別コードとして使用登録する機能とをさらに備える。
【００６４】
その他に、図２に示すように、本実施形態の保健情報統合管理システム１００は、登録されたコードグループおよびコードに関する情報を保管するコードテーブルＤＢ１１０と、運営系業務に関連した各種申請／照会／処理／結果／履歴事項などを保管する業務情報ＤＢ１１２と、生成した定型／非定型帳票からなる実績または統計資料を保管する分析資料ＤＢ１１４と、ユーザー情報および権限事項を保管するユーザーＤＢ１１６と、担当者情報および権限事項を保管する担当者ＤＢ１１８と、管理者情報および権限事項を保管する管理者ＤＢ１２０とをさらに含む。
【００６５】
図３は本発明の一実施形態に係る保健情報統合管理方法の全体フローチャートである。
【００６６】
ユーザー端末を介して入力または要請された診療、保健事業および保健行政のうち少なくとも一つの業務に関する情報を統合管理するために、診療基礎コード、事業基礎コードおよび共通コードのうち少なくとも一つに対するコードをコードテーブルに登録する（Ｓ１００）。表２２は本発明の一実施形態に係る保健情報統合管理システムの基礎コードテーブル構成の一例である。
【表２２】
0005796236.tif 000023
【００６７】
このようなコード登録は、管理者端末の自体入力によって行われるか、或いは前記担当者端末によって登録申請されたコードに対して前記管理者端末の承認入力を受けて行われる。前記各コードは、少なくとも一つのコードグループに属するように登録される。
【００６８】
前記診療基礎コードは、一つの給与処理単位に相応する項目を定義するシングルコード、２つ以上の前記シングルコードが組み合わせられて定義されるグループ、および２つ以上の前記グループまたはシングルコードが組み合わせられて定義されるプロファイルからなる階層構造を有する。
【００６９】
また、少なくとも保健事業業務に関する情報の入力、処理および保存の際に前記プロファイルを使用するように構成される。
【００７０】
前記シングルコードは、保険コードに相応する保険給与対象項目を定義する第１シングルコードと、保険コードに基づいていない項目であって前記管理者端末の承認入力を経てシングルコード対象として追加された項目を定義する第２シングルコードとを含む。
【００７１】
別の観点から、前記診療基礎コードは、前記管理者端末が管理権限を持つ全域属性部と、前記保健機関別担当者端末が管理権限を持つ機関別属性部とを含んでなる。
【００７２】
次に、前記ユーザー端末から前記コードに基づいて診療、保健事業および保健行政のうちいずれか一つの業務に関する情報を入力、処理および保存する（Ｓ２００）。このような処理過程はいわゆる運営系業務の処理過程として理解できる。この際、前記コードは、全体保健機関のユーザー端末が全て使用できるように定義された全域コード、および各保健機関別ユーザー端末が使用できるように定義された機関別コードのうちのいずれか一つになる。
【００７３】
さらに好ましくは、前記運営系業務の処理からさらに進んで、診療、保健事業および保健行政のいずれか一つの業務に関する定型または非定型帳票からなる実績資料または統計資料を生成する（Ｓ３００）。
【００７４】
図４は本発明の一実施形態に係る保健情報統合管理方法の担当者端末の登録申請によるコード登録手続きのフローチャートである。前記Ｓ１００のコード登録過程で、特に、担当者端末の登録申請によるコード登録は、次の通りに行われる。
【００７５】
保健情報統合管理システムが担当者端末からコード登録要請の伝送を受ける（Ｓ１０２）。
【００７６】
前記登録要請を管理者端末で確認できるように維持する（Ｓ１０４）。
【００７７】
前記管理者端末から前記登録要請されたコードの既登録有無照会命令の入力を受け、コードテーブルに基づいてその結果を提供する（Ｓ１０６）。
【００７８】
管理者端末から新規コード登録情報の承認入力を受けて該当コードをコードテーブルに登録し（Ｓ１０８）、前記ユーザー端末で前記新規コードを使用可能な状態に維持する（Ｓ１１０）。この際、前記管理者端末は、前記登録要請されたコードが未登録コードであると判断した管理者の端末となる。
【００７９】
表２３は本発明の一実施形態に係る保健情報統合管理システムの管理者端末のコード登録入力画面メニューの例示構成を示す。
【表２３】
0005796236.tif 000024
【００８０】
例えば、コード登録要請を受けた管理者は、管理者端末の入力画面を介して［情報検索］→［専門医薬品検索］画面で薬品名を検索し、既にコード登録された保険給与薬の場合には、全体登録された薬品から保険コードで検索し、該当保健機関で使用できるようにダウンロード機能を介して設定し、登録されていない非給与薬品の場合には、登録対象薬品名と製薬会社を正確に確認して新規コードとして生成した後、保健機関で使用できるように設定登録する。
【００８１】
一方、さらに詳しくは、前記Ｓ１０４段階の後、前記登録要請されたコードの既登録有無が照会できるように前記担当者端末へコードテーブルのコード登録情報を提供する（Ｓ１２２）。
【００８２】
前記担当者端末から既存登録コードの使用または新規コード登録に関する要請情報の入力を受ける（Ｓ１２４）。
【００８３】
前記要請が既存登録コードの使用要請である場合には、使用要請されたコードを、前記担当者端末が所属された保健機関の機関別コードとして使用登録する（Ｓ１２６）。
【００８４】
図５は本発明の一実施形態に係る保健情報登録管理方法のコードグループ登録のフローチャートである。前記Ｓ１００段階の前に、コードグループ登録が行われる。前記コードグループ登録過程は次のとおりである。
【００８５】
管理者端末へ、既に登録されたコードグループツリーを提示する（Ｓ１０）。前記コードグループツリーは少なくとも２階層のコードグループに階層化される。
【００８６】
管理者端末から、前記提示されたコードグループツリーのうち新規コードグループが登録される上位コードグループが選択される（Ｓ２０）。
【００８７】
管理者端末から新規コードグループの登録に必要な項目入力および確認が行われると、コードグループ登録を完了する（Ｓ３０）。
【００８８】
表２４は本発明の一実施形態に係る保健情報統合管理システムのコードグループ登録画面のメニー構成の一例を示す。
【表２４】
0005796236.tif 000025
【００８９】
図６は本発明の一実施形態に係る保健情報統合管理方法の個別または一括コード登録のフローチャートである。
【００９０】
コード登録は、個別コード登録または一括コード登録の２つの方法によって選択的に行われる（Ｓ１００２〜Ｓ１００４）。
【００９１】
まず、個別コード登録によるコード登録過程を説明する。
【００９２】
管理者端末へ、既に登録されたコードグループツリーを提示する（Ｓ１００６）。前記コードグループツリーは、少なくとも２階層のコードグループに階層化されて構成される。
【００９３】
管理者端末から、前記提示されたコードグループツリーのうち所定の最下位階層のコードグループが選択されると、該当コードグループへのコード登録のために定義が必要な属性を基本情報として提示する（Ｓ１００８）。
【００９４】
管理者端末からコード登録に必要な項目入力および確認が行われると、コード登録を完了する（Ｓ１０１０）。
【００９５】
次に、一括登録によるコード登録過程を説明する。
【００９６】
管理者端末へ、既に登録されたコードグループツリーを提示する（Ｓ１１０６）。前記コードグループツリーは、少なくとも２階層のコードグループに階層化されて構成される。
【００９７】
管理者端末から、前記提示されたコードグループツリーのうち一括登録を所望するコードグループが選択されると、該当コードグループの一括登録フォーマットを有するテンプレートファイルをダウンロード可能な状態に維持する（Ｓ１１０８）。
【００９８】
管理者端末から一括登録に必要な項目入力が行われたテンプレートファイルがアップロードされると、コード登録を完了する（Ｓ１１１０）。
【００９９】
前記テンプレートファイルは、例えば、一般なスプレッドシートファイルの形で構成されてもよく、登録される多数のコードグループ名−コード名−属性情報などがテーブルの形で含まれてもよい。
【０１００】
図７は本発明の一実施形態に係る保健情報統合管理方法の担当者権限登録のフローチャートである。コードグループ別にコードの登録、修正および削除を管理者端末に要請することが可能な担当者権限登録が行われ得る。その過程は次のとおりである。
【０１０１】
管理者端末へ、既に登録されたコードグループツリーを提示する（Ｓ１２１０）。前記コードグループツリーは少なくとも２階層のコードグループに階層化構成される。
【０１０２】
管理者端末から、前記提示されたコードグループツリーのうち担当者権限登録が必要なコードグループが選択され、該当コードグループに対する組織ツリーを提示する（Ｓ１２２０）。前記組織ツリーは、前記コードグループの担当者またはユーザーが含まれた組織を階層化して構成したものである。
【０１０３】
管理者端末から、前記組織ツリーに含まれた特定の担当者またはユーザーに対する担当者権限登録情報の入力および確認が行われると、該当コードグループに対する担当者権限登録を完了する（Ｓ１２３０）。前記担当者権限登録情報は新規担当者の登録または既存担当者の削除のうちいずれか一つである。
【０１０４】
表２５は本発明の一実施形態に係る保健情報統合管理システムの担当者権限管理登録画面のメニュー構成の一例を示す。
【表２５】
0005796236.tif 000026
【０１０５】
図８は本発明の一実施形態に係る保健情報統合管理方法の管理者権限登録のフローチャートである。コードグループ別にコードの登録、修正および削除を行うことが可能な管理者権限登録が行われ得る。その過程は次のとおりである。
【０１０６】
マスター管理者端末に管理者権限登録メニューを提示する（Ｓ１３１０）。
【０１０７】
マスター管理者端末から特定の管理者に対する管理者権限登録の入力を受け、管理者権限登録を完了する（Ｓ１３２０）。前記管理者権限登録情報は新規管理者の登録または既存管理者の削除である。
【０１０８】
図９は本発明の一実施形態に係る保健情報統合管理方法のコード属性登録のフローチャートである。前記Ｓ１００段階の前にコード属性登録が行われる。コード属性登録は次の過程で行われる。
【０１０９】
管理者端末にコード属性登録メニューを提示する（Ｓ１４１０）。
【０１１０】
管理者端末から、登録される属性の属性名称、属性類型および属性グループの少なくとも一つの入力を受け、コード属性登録を完了する（Ｓ１４２０）。
【０１１１】
表２６は幾つかの属性類型を例示している。
【表２６】
0005796236.tif 000027
【０１１２】
例えば、属性別属性値に基づいて定められた個数の属性類型を支援する。属性は定められた個数の類型のうち必ず一つの類型を有しなければならず、このように定義された類型は変更が不可能である。属性類型の定義によって単位および入力可能項目の設定が異なる。数字タイプの類型を有する属性は必ず単位を持たなければならず、ＥＮＵＭタイプの属性は必ず入力可能値をさらに定義しなければならない。
【０１１３】
属性グループは、属性の提示グループであって、品目情報の提示の際に、属性が有する意味が類似しているもの同士をグループ化して提示するための属性の分類基準である。
【０１１４】
図１０は本発明の一実施形態に係る保健情報統合管理方法の定型または非定型帳票生成のフローチャートである。
【０１１５】
本実施形態の保健情報統合管理方法では、上述したように、診療、保健事業または保健行政などの運営系業務処理（各詳細業務に関する各種申請／照会／結果保存／結果通報／履歴保存など）からさらに進んで、診療、保健事業および保健行政のうちいずれか一つの業務に関する定型または非定型帳票からなる実績資料または統計資料を生成する（Ｓ３０２〜Ｓ３０４）。
【０１１６】
ここで、「定型帳票」とは、よく使用する帳票を保存して条件値を入力し使用することができるように生成している帳票であって、付加的な機能として、照会項目を一部変更し或いは分析軸を一部変更する形態の分析機能を備えることもできる。
【０１１７】
「非定型帳票」とは、分析者が分析観点と分析指標を自由に選択して生成する帳票である。非定型帳票を用いると、分析者が様々な観点の分析観点および分析指標（数値）を組み合わせてレポートを生成することができ、詳細データの照会および多様な分析観点を提供するという利点がある。このような非定型帳票生成のために非定型分析テンプレートが使用できる。よく使用される分析観点と分析指標を予めグルーピングして分析者に提供し、必要な項目を選択する形態の制限的なＡｄ−ｈｏｃＱｕｅｒｙを提供することができる。非定型分析テンプレートは、他の観点から半定型帳票の概念で理解されることも可能である。
【０１１８】
上述したような分析のために、保健情報統合管理システムは、運営系業務情報を用いて、業務に関する定型または非定型帳票からなる実績資料または統計資料を生成する分析資料生成部を備え、分析資料生成部は、詳細機能上、ＯＤＳ処理部、ＥＤＷ処理部、マート処理部をそれぞれ備える。
【０１１９】
まず、定型帳票の生成過程を説明する。
【０１２０】
周期的な締め切りが到来すると、各ユーザー端末から入力された実績または統計関連運営系資料をＯＤＳ（ＯｐｅｒａｔｉｏｎａｌＤａｔａ Ｓｔｏｒｅ）に積載する（Ｓ３０６）。ＯＤＳは運営系資料と同一のレイアウットを有し、運営系データをＥＤＷに積載する前に臨時作業性揮発性データとして保管する。
【０１２１】
前記ＯＤＳの試料を抽出、加工および積載してＥＤＷ（ＥｎｔｅｒｐｒｉｓｅＤａｔａ Ｗａｒｅｈｏｕｓｅ）資料を構築する（Ｓ３０８）。ＥＤＷは運営系データと履歴データを含み、コード性カラムに対して精製されたカラムおよびデータを管理し、特定の主題によって統合されたテーブル（例えば、民願人、診療報酬、収納テーブル、マスター＋履歴統合）が存在する状態を持つ。
【０１２２】
前記ＥＤＷ資料を用いて、既に設定された主題別データマート（Ｍａｒｔ）を生成する（Ｓ３１０）。データマートは、ＥＤＷデータに基づいてデータを積載して生成し、定型／非定型帳票サービスのための基礎テーブルに該当する。ＥＤＷにおけるデータマートの生成のために、ディメンション（Ｄｉｍｅｎｓｉｏｎ）が使用できるが、ディメンションはコード情報をテーブルとして管理する。前記ＯＤＳ、ＥＤＷ、データマート、ディメンションなどに関する一般な概念は多数の公知資料から理解できる。
【０１２３】
前記主題別データマートに基づいて、定型帳票からなる実績または統計資料を自動生成する（Ｓ３１２）。
【０１２４】
表２７は本発明の一実施形態に係る保健情報統合管理システムの実績資料画面の項目例示であって、生成した帳票に含まれ得る項目例を示す。
【表２７】
0005796236.tif 000028
【０１２５】
次に、非定型帳票の生成過程を説明する。
【０１２６】
周期的な締め切りが到来すると、各ユーザー端末から入力された実績または統計関連運営系資料をＯＤＳ（ＯｐｅｒａｔｉｏｎａｌＤａｔａ Ｓｔｏｒｅ）に積載する（Ｓ３１６）。
【０１２７】
前記ＯＤＳの資料を抽出、加工および積載してＥＤＷ（ＥｎｔｅｒｐｒｉｓｅＤａｔａ Ｗａｒｅｈｏｕｓｅ）資料を構築する（Ｓ３１８）。
【０１２８】
前記ＥＤＷ資料を用いて、既に設定された主題別データマート（Ｍａｒｔ）を生成する（Ｓ３２０）。
【０１２９】
分析者が分析観点と分析指標を選択して非定型帳票を生成することができるように分析者端末に照会手段を維持する（Ｓ３２２）。
【０１３０】
分析者端末から入力された分析観点と分析指標に基づいて帳票を生成して提供する（Ｓ３２４）。
【０１３１】
下記表２８は分析者の分析要求事項の例示である。
【表２８】
0005796236.tif 000029
【０１３２】
例えば、このような帳票は、運営系ＤＢ、ＯＤＳ、ディメンション、マートの順に診療基礎コードのうちの診療報酬情報から予防接種実績に関する帳票生成が行われるか、或いは運営系ＤＢ、ＯＤＳ、ディメンション１、ディメンション２、マートの順に診療基礎コードのうちのプロファイルから検査詳細に関する帳票生成が行われる方式で生成できる。
【０１３３】
表２９は本発明の一実施形態に係る保健情報統合管理システムの主題別マート項目の例示を示す。
【表２９】
0005796236.tif 000030
【０１３４】
表３０は本発明の一実施形態に係る保健情報統合管理システムの非定型帳票生成入力画面構成の例示を示す。
【表３０】
0005796236.tif 000031
【０１３５】
順序１の画面では事業別照会項目の選択が行われる。
【０１３６】
その後、順序２の画面では詳細主題別非定型目録の選択が行われる。ここで、「分析条件」は条件照会または画面上の分析観点として追加可能な項目を意味し、「分析指標」は選択された条件または分析観点に対して照会する値（数値）を意味する。
【０１３７】
その次、順序３の画面では照会条件および照会項目の選択が行われるが、特に期間／組織などの基本的な照会条件の選択が行われる。順序４の画面では分析しようとする指標（数値）および分析観点の選択が行われる。
【０１３８】
その後、順序５の画面では報告書の実行によって非定型帳票形態の報告書が生成する。
【０１３９】
図１１は本発明の一実施形態に係る保健情報統合管理方法の非定型帳票共有手続きのフローチャートである。非定型帳票は次のような過程によって分析者間で共有できる。
【０１４０】
分析者端末へ、前述のように生成した非定型帳票を共有する別の分析者を照会することが可能なメニューを提供する（Ｓ３３１０）。
【０１４１】
前記分析者端末から入力された情報に基づいて、共有指定された別の分析者端末で前記非定型帳票が照会できるように維持する（Ｓ３３２０）。
【０１４２】
図１２は本発明の一実施形態に係る保健情報統合管理方法の分析観点および分析指標のグルーピング手続きのフローチャートである。非定型帳票の生成のために使用された分析観点および分析指標は、次のような過程を介してグルーピング保存されて便利に繰返し提供できる。
【０１４３】
所定の回数または頻度以上に使用された分析観点および分析指標をグルーピングして分析者端末で照会可能な状態を維持する（Ｓ３４１０）。
【０１４４】
前記グルーピングされた項目のうちいずれか一つの項目を分析者端末が選択しうる機能を提供する（Ｓ３４２０）。
【０１４５】
本発明の実施形態は、様々なコンピュータで実現される動作を行うためのプログラム命令を含むコンピュータ可読媒体を含む。前記コンピュータ可読媒体は、プログラム命令、データファイル、データ構造などを単独で或いは組み合わせて含むことができる。前記媒体は、本発明のために特別に設計および構成されたものであってもよく、コンピュータソフトウェア当業者に公知されて使用可能なものであってもよい。コンピュータ可読記録媒体の例には、ハードディスク、フロッピーディスクおよび磁気テープなどの磁気媒体、ＣＤ−ＲＯＭ、ＤＶＤなどの光記録媒体、フロプティカルディスクなどの磁気−光媒体、およびＲＯＭ、ＲＡＭ、フラッシュメモリなどのプログラム命令を保存および遂行するように特別に構成されたハードウェア装置が含まれる。前記媒体は、プログラム命令、データ構造などを指定する信号を伝送する搬送波を含む光または金属線、導波管などの伝送媒体であってもよい。プログラム命令の例には、コンパイラーなどによって作られる機械語コードだけでなく、インタープリターなどを用いてコンピュータによって実行できる高級言語コードを含む。
【０１４６】
本発明は添付図面を参照して好適な実施形態を中心に記述されたが、当業者であれば、これらの記載から本発明の範疇を逸脱することなく様々且つ自明な変形が可能なのは、明白である。よって、本発明の範疇はそれらの変形例を含むように記述された特許請求の範囲によって解釈されるべきである。
【図１】
0005796236.tif 000032
【図２】
0005796236.tif 000033
【図３】
0005796236.tif 000034
【図４】
0005796236.tif 000035
【図５】
0005796236.tif 000036
【図６】
0005796236.tif 000037
【図７】
0005796236.tif 000038
【図８】
0005796236.tif 000039
【図９】
0005796236.tif 000040
【図１０】
0005796236.tif 000041
【図１１】
0005796236.tif 000042
【図１２】
0005796236.tif 000043